(57)【要約】      （修正有）【課題】液晶表示モジュールを備える電子装置を提供する。【解決手段】液晶表示モジュール１、最低一つの固定部品２２、及び本体外殻を備える。固定部品２２は、粘着部を備え、粘着部の両端はどちらも外側方向に折り曲げて延伸して嵌合支持部を形成する。前記本体外殻は、液晶表示モジュールを収める上部外殻２１及び下部外殻を備え、上部外殻２１は基板を備え、基板の表面には凹み形状の収容槽を形成し、収容槽の底面には、底面を貫通し固定部品の粘着部に対応する内設孔２１２を開け、固定部品２２の嵌合支持部は上部外殻上に嵌設、粘着部は内設孔内に収め、液晶表示モジュール１は収容槽内に収めて固定部品２２の粘着部と粘着し、これにより、液晶表示モジュール１を上部外殻２１上に固定する。簡単に固定部品２２を取り除き、液晶表示モジュール１と上部外殻２１を分離し易く、再作製の良品率及び効率を向上させることが可能である。【選択図】図５
0003150907.tif 000002
【実用新案登録請求の範囲】
【請求項１】
液晶表示モジュールと本体外殻と最低一つの固定部品を備える液晶表示モジュールにおいて、
前記本体外殻は、基板を備え、基板の表面には液晶表示モジュールを収める凹み形状の収容槽を形成し、収容槽の底面には、底面を貫通する内設孔を開け、
前記固定部品は、粘着部を備え、粘着部の両端はどちらも外側方向に折り曲げて延伸する嵌合支持部を形成し、嵌合支持部は前記基板上に嵌設、粘着部は内設孔内に収め、液晶表示モジュールは、収容槽内に収め、しかも固定部品の粘着部と粘着することを特徴とする液晶表示モジュールを備える電子装置。
【請求項２】
請求項１記載の液晶表示モジュールを備える電子装置において、前記本体外殻は、上部外殻及び下部外殻により構成され、前記基板を上部外殻内に設置することを特徴とする液晶表示モジュールを備える電子装置。
【請求項３】
請求項１記載の液晶表示モジュールを備える電子装置において、前記固定部品は金属素材で作製し、固定部品と液晶表示モジュール間は、導電テープで粘着し、しかも電気的に地面に連結することを特徴とする液晶表示モジュールを備える電子装置。
【請求項４】
請求項１記載の液晶表示モジュールを備える電子装置において、前記嵌合支持部は、粘着部の一端から折り曲げて延伸する湾曲部と湾曲部の末端から外側に折り曲げて延伸する固定部を備えることを特徴とする液晶表示モジュールを備える電子装置。
【請求項５】
請求項４記載の液晶表示モジュールを備える電子装置において、前記固定部品の固定部と基板の収容槽の壁面は、両面テープによって粘着固定することを特徴とする液晶表示モジュールを備える電子装置。
【請求項６】
請求項１記載の液晶表示モジュールを備える電子装置において、前記収容槽の底面の外表面における内設孔の両端箇所には嵌合固定溝を設け、嵌合固定溝と前記収容槽とは連接することを特徴とする液晶表示モジュールを備える電子装置。
【請求項７】
請求項１記載の液晶表示モジュールを備える電子装置において、前記収容槽の底面の外表面における嵌合固定溝の一方側には取り外し溝を設け、取り外し溝と前記嵌合固定溝は連接することを特徴とする液晶表示モジュールを備える電子装置。
【請求項８】
請求項１記載の液晶表示モジュールを備える電子装置において、前記収容槽底面の両側のどちらにも内設孔を開け、二つの固定部品はそれぞれ前記内設孔に対応することを特徴とする液晶表示モジュールを備える電子装置。
【考案の詳細な説明】
【技術分野】
【０００１】
本考案は、電子装置に係り、特に液晶表示モジュールを備える電子装置に関する。
【背景技術】
【０００２】
現在、携帯電話、マルチメディア再生装置等の多くの電子製品が日常生活の中に広範に応用されている。それらの電子製品は、一般に、上部外殻及び下部外殻によって構成される本体外殻を備え、上部外殻には液晶表示モジュールを固定し、液晶表示モジュール上には通常、タッチパネルを設置している。
【０００３】
例えば、特許文献１に開示した液晶表示モジュール組立て装置は、ベース板、固定定位板体、第一二方向可動定位装置を備えたものであり、前記ベース板表面には凹みエリア、凹みエリア底部には第一定位槽を設け、前記固定定位板体はベース板の上面に固定し、それは嵌合孔を備え、前記の第一二方向可動定位装置には第一スライド体と第二スライド体を備え、第一スライド体は第一定位槽を貫通するボルトで前記凹みエリア内に固定し、第二スライド体は第二定位槽を備え、第二スライド体は第二定位槽を貫通するボルトで第一スライド体に結合し、しかも第一スライド体上を第二定位槽方向に沿って移動し、第一二方向可動定位装置の末端には、固定定位板体の嵌合口に対応する嵌合口を設け、二つの嵌合口はベース板上で対角対応を成して設置され、これにより組立てる場合、対角が液晶表示モジュールを固定する。公知技術におけるもう一つの液晶表示モジュールを備える電子装置は、液晶表示モジュール及び本体外殻を備え、液晶表示モジュールは両面テープで直接本体外殻に粘着し、これにより液晶表示モジュールと本体外殻の安定した固定性を実現する。
【０００４】
しかし、前述した公知の液晶表示モジュールを備える電子装置は、再作製する為に液晶表示モジュールをベース板または本体外殻から取り外す場合、液晶表示モジュールのタッチパネル等の関連部品を損傷し易い故、再作製の良品率の低下原因となる。
【先行技術文献】
【特許文献】
【０００５】
【特許文献１】中華人民共和国特許第２００４１００１５３７９号明細書
【考案の概要】
【考案が解決しようとする課題】
【０００６】
本考案は、前述公知技術に存在する欠点を克服すべく液晶表示モジュールを備える電子装置の提供を目的とし、液晶表示モジュールを備える電子装置を取り外す場合、損傷し難いだけでなく、再作製の良品率及び効率を向上させることができる。
【課題を解決するための手段】
【０００７】
前述目的を実現させる為、本考案の液晶表示モジュールを備える電子装置は、液晶表示モジュール、最低一つの固定部品、及び本体外殻を備える。前記固定部品は、粘着部を備える。粘着部の両端は外側方向に折り曲げて延伸する嵌合支持部を形成する。前記本体外殻は、液晶表示モジュールを収める上部外殻及び下部外殻を備え、前記上部外殻は基板を備え、基板の表面には凹み形状の収容槽を形成し、収容槽の底面には、底面を貫通し、固定部品の粘着部に対応する内設孔を開け、前記固定部品の嵌合支持部は上部外殻上に嵌設、粘着部は内設孔内に収め、液晶表示モジュールは収容槽内に収めて固定部品の粘着部と粘着し、これにより、液晶表示モジュールを上部外殻上に固定する。
【考案の効果】
【０００８】
本考案の液晶表示モジュールを備える電子装置は、固定部品と液晶表示モジュールを粘着させることにより、液晶表示モジュールを本体外殻の上部外殻上に固定する故、再作製する為に液晶表示モジュールを取り外す時、簡単に固定部品を取り除くことができ、液晶表示モジュールと上部外殻の分離を実現する。よって、液晶表示モジュールの関連部品を損傷し難く、再作製の良品率及び効率を向上させることが可能となる。
【図面の簡単な説明】
【０００９】
【図１】本考案の実施例に関する立体図である。
【図２】図１の立体分解図である。
【図３】図１の上部外殻を別の角度から見た立体図である。
【図４】図１の固定部品の立体図である。
【図５】図１のＡ−Ａ線での一部断面図である。
【考案を実施するための形態】
【００１０】
図１、図２に示す通り、本考案の液晶表示モジュールを備える電子装置１００は、液晶表示モジュール１及び電子装置本体２を備える。前記液晶表示モジュール１上にはタッチパネル（図中での番号未表示）を設ける。電子装置本体２は上部外殻２１、固定部品２２、導電テープ２３、複数の両面テープ２４、回路板２５、固定フレーム２６、及び下部外殻２７を備える。前記上部外殻２１と下部外殻２７により、液晶表示モジュールを備える電子装置１００の本体外殻が構成される。
【００１１】
図２及び図３に示す通り、前記上部外殻２１は基板２１０を備え、基板２１０の上表面後部には下方向に凹んでほぼ長方形状の収容槽２１１を形成し、収容槽２１１の底面中央部左右の両側にはどちらにも、底面を貫通する内設孔２１２を開け、それらの内設孔２１２には前後に延伸する長方形状を形成する。収容槽２１１底面の下表面の内設孔２１２両端箇所に嵌合固定溝２１３を開け、嵌合固定溝２１３と内設孔２１２は連接する。前記収容槽２１１底面の外表面の嵌合固定溝２１３一方側にはほぼ半円形をした取り外し溝２１４を設け、取り外し溝２１４と嵌合固定溝２１３は連接する。
【００１２】
図２及び図４に示す通り、前記固定部品２２は金属鉄で作製し、長方板形状の粘着部２２１を備える。粘着部２２１の両端は下方向に折り曲がり延伸する湾曲部２２２を形成し、湾曲部２２２の末端には続けて外側方向に折り曲がり延伸する固定部２２３を形成する。前記湾曲部２２２及び固定部２２３を組み合わせて嵌合支持部２２４を形成する。前記導電テープ２３は長方板形状を成し、導電テープ２３と粘着部２２１の大きさは等しく、両面テープ２４と固定部２２３の大きさも等しい。前記固定フレーム２６には、回路板２５に対応する大きさの内設槽２６１を設ける。
【００１３】
図１及び図５に示す通り、本考案の液晶表示モジュールを備える電子装置１００を組立てる場合、液晶表示モジュール１を上部外殻２１の収容槽２１１内に装着し、固定部品２２の粘着部２２１を内設孔２１２内に収め、導電テープ２３で固定部品２２と液晶表示モジュール１を粘着し、並びに、液晶表示モジュール１の下方及び粘着部２２１の上方に位置するようにする。これにより、液晶表示モジュール１、上部外殻２１及び固定部品２２は安定的に固定する。固定部２２３の上部を嵌合固定溝２１３内に収め、その一端を取り外し溝２１４内に延伸する。固定部２２３と上部外殻２１の間を両面テープ２４で粘着固定する為、上部外殻２１と固定部品２２は安定的に固定する。回路板２５は内設槽２６１内に装着し、前記固定部品２２の嵌合支持部２２４は回路板２５のアース部に電気的に接続する。前記上部外殻２１、固定フレーム２６、及び下部外殻２７は相互に嵌合する。
【００１４】
上部外殻２１に取り外し溝２１４を設置してある故、液晶表示モジュール１と上部外殻２１を取り外す場合、マイナスドライバー等の工具を取り外し溝２１４内に挿入した後、軽く力を入れると即刻液晶表示モジュール１と上部外殻２１を取り外すことができ、非常に便利である。固定部品２２の嵌合支持部２２４が回路板２５のアース部に電気的に接続してある故、液晶表示モジュール１及び電子装置本体２２の静電気は回路板２５に誘導され、電子部品の静電気障害を防止する。
【００１５】
前述した通り、本考案の液晶表示モジュールを備える電子装置１００は、固定部品２２と液晶表示モジュール１を粘着することにより、液晶表示モジュール１を本体外殻の上部外殻２１上に固定してあり、よって再作製する為に液晶表示モジュール１を取り外す時、簡単に固定部品２２を取り除くことができ、液晶表示モジュール１と上部外殻２１の分離を実現する。よって、液晶表示モジュール１のタッチパネル等の関連部品を損傷し難く、再作製の良品率及び効率を向上させることが可能となる。
【符号の説明】
【００１６】
１００  液晶表示モジュールを備える電子装置
１  液晶表示モジュール
２  電子装置本体
２１  上部外殻
２１０  基板
２１１  収容槽
２１２  内設孔
２１３  嵌合固定溝
２１４  取り外し溝
２２  固定部品
２２１  粘着部
２２２  湾曲部
２２３  固定部
２２４  嵌合支持部
２３  導電テープ
２４  両面テープ
２５  回路板
２６  固定フレーム
２６１  内設槽
２７  下部外殻
【図１】
0003150907.tif 000003
【図２】
0003150907.tif 000004
【図３】
0003150907.tif 000005
【図４】
0003150907.tif 000006
【図５】
0003150907.tif 000007